(57)【要約】【課題】  ハウジングの外形サイズを小型にしつつシール部材を適切に保護できる防水型コネクタ組立体、防水型コネクタ、及び防水型コネクタハウジングを提供する。【解決手段】  防水型コネクタ組立体１は、防水型コネクタ１０と、防水型コネクタ１０と嵌合する相手コネクタ５０とからなる。防水型コネクタ１０の防水型コネクタハウジング１０Ａは、嵌合部１３の外周に装着されたシール部材１４の外側に対応する初期位置とハウジング１１のハウジング本体１２の外側に位置する最終位置との間を移動可能にハウジング本体１２に支持された環状のシール部材用カバー１５と、相手コネクタ５０の嵌合前に初期位置に位置するシール部材用カバー１５をロックするとともに、相手コネクタ５０の嵌合終了時に相手コネクタ５０に設けられたロック突起５２をロックするロックアーム１６とを備えている。【選択図】      図２
2006140117.tif 000002
【特許請求の範囲】
【請求項１】
防水型コネクタと、該防水型コネクタと嵌合する相手コネクタとからなり、
前記防水型コネクタが、防水型コネクタハウジングと、該防水型コネクタハウジングに収容されるコンタクトとを備え、
前記防水型コネクタハウジングが、ハウジング本体及び該ハウジング本体から延びる前記相手コネクタとの嵌合部を有する絶縁性のハウジングと、該ハウジングの前記嵌合部の外周に装着された環状のシール部材と、該シール部材の外側に対応する初期位置と前記ハウジング本体の外側に位置する最終位置との間を移動可能に前記ハウジング本体に支持された環状のシール部材用カバーと、前記ハウジング本体に設けられ、前記相手コネクタの嵌合前に前記初期位置に位置する前記シール部材用カバーをロックするとともに、前記相手コネクタの嵌合終了時に前記相手コネクタに設けられたロック突起をロックするロックアームとを備え、
前記相手コネクタが前記防水型コネクタに嵌合するときに、前記相手コネクタが前記ロックアームを持ち上げて前記シール部材用カバーのロック状態を解除するとともに前記シール部材用カバーを前記初期位置から前記最終位置に向けて押圧することを特徴とする防水型コネクタ組立体。
【請求項２】
前記シール部材用カバーは、前記初期位置に位置するときに前記シール部材を圧縮することを特徴とする請求項１記載の防水型コネクタ組立体。
【請求項３】
前記シール部材用カバーに、前記シール部材用カバーを前記最終位置から前記初期位置の方向に向けて移動させたときに前記ロックアームを持ち上げる係合部を設けたことを特徴とする請求項１又は２記載の防水型コネクタ組立体。
【請求項４】
防水型コネクタハウジングと、該防水型コネクタハウジングに収容されるコンタクトとを備え、
前記防水型ハウジングが、ハウジング本体及び該ハウジング本体から延びる相手コネクタとの嵌合部を有する絶縁性のハウジングと、該ハウジングの前記嵌合部の外周に装着された環状のシール部材と、該シール部材の外側に対応する初期位置と前記ハウジング本体の外側に位置する最終位置との間を移動可能に前記ハウジング本体に支持された環状のシール部材用カバーと、前記ハウジング本体に設けられ、前記相手コネクタの嵌合前に前記初期位置に位置する前記シール部材用カバーをロックするとともに、前記相手コネクタの嵌合終了時に前記相手コネクタに設けられたロック突起をロックするロックアームとを備えことを特徴とする防水型コネクタ。
【請求項５】
前記シール部材用カバーは、前記初期位置に位置するときに前記シール部材を圧縮することを特徴とする請求項４記載の防水型コネクタ。
【請求項６】
前記シール部材用カバーに、前記シール部材用カバーを前記最終位置から前記初期位置の方向に向けて移動させたときに前記ロックアームを持ち上げる係合部を設けたことを特徴とする請求項４又は５記載の防水型コネクタ。
【請求項７】
ハウジング本体及び該ハウジング本体から延びる相手コネクタとの嵌合部を有する絶縁性のハウジングと、該ハウジングの前記嵌合部の外周に装着された環状のシール部材と、該シール部材の外側に対応する初期位置と前記ハウジング本体の外側に位置する最終位置との間を移動可能に前記ハウジング本体に支持された環状のシール部材用カバーと、前記ハウジング本体に設けられ、前記相手コネクタの嵌合前に前記初期位置に位置する前記シール部材用カバーをロックするとともに、前記相手コネクタの嵌合終了時に前記相手コネクタに設けられたロック突起をロックするロックアームとを備えことを特徴とする防水型コネクタハウジング。
【請求項８】
前記シール部材用カバーは、前記初期位置に位置するときに前記シール部材を圧縮することを特徴とする請求項７記載の防水型コネクタハウジング。
【請求項９】
前記シール部材用カバーに、前記シール部材用カバーを前記最終位置から前記初期位置の方向に向けて移動させたときに前記ロックアームを持ち上げる係合部を設けたことを特徴とする請求項７又は８記載の防水型コネクタハウジング。
【発明の詳細な説明】
【技術分野】
【０００１】
本発明は、防水型コネクタ組立体、防水型コネクタ及び防水型コネクタハウジングに関する。
【背景技術】
【０００２】
従来より、例えば自動車の電気的接続には防水型コネクタが用いられている。この防水型コネクタとして、例えば、図９（特許文献１参照）に示すものが知られている。
この防水型コネクタ１０１は、防水型コネクタハウジング（以下、単にハウジングという）１１０と、複数のコンタクト１２０とを具備している。
【０００３】
ハウジング１１０は、絶縁性の樹脂を成形することによって形成され、相手コネクタ（図示せず）が前方（図９における左方）から嵌合する嵌合部１１１を備えている。嵌合部１１１には、複数のコンタクト１２０を収容する複数のコンタクト収容キャビティ１１２が設けられている。各コンタクト収容キャビティ１１２内には、各コンタクト１２０を係止するためのハウジングランス１１３が設けられている。そして、嵌合部１１１の周囲には、相手コネクタの嵌合部と嵌合部１１１との間をシールするためのゴム製の環状のシール部材１１４が取付けられている。また、嵌合部１１１には、嵌合部１１１とともにシール部材１１４の周囲を覆うフード部１１５が設けられている。フード部１１５は、相手コネクタが防水型コネクタ１０１に嵌合する前に、シール部材１１４を保護する機能を有する。そして、嵌合部１１１には、前方からフロントリテーナ１１７が挿入され、このフロントリテーナ１１７が仮係止位置と本係止位置とで嵌合部１１１に係止されるようになっている。そして、フード部１１５とフロントリテーナ１１７との間には、相手コネクタの嵌合部の壁部分が進入する空間１１６が形成されている。また、コンタクト１２０には、電線Ｗが接続され、電線Ｗの周囲にはゴム製のシール部材１２１が設けられている。シール部材１２１は、コンタクト収容キャビティ１１２内に収容されたコンタクト１２０を外部に対してシールする機能を有する。
【０００４】
そして、相手コネクタと防水型コネクタ１０１とが嵌合すると、相手コネクタに設けられたコンタクト（図示せず）と防水型コネクタ１０１のコンタクト１２０とが接触し、両コンタクトが電気的に導通することになる。相手コネクタが防水型コネクタ１０１に嵌合するときには、相手コネクタの嵌合部の壁部分が空間１１６内に進入し、その壁部分がシール部材１１４の外周を内側に圧縮し、シール部材１１４により相手コネクタの嵌合部と防水型コネクタ１０１の嵌合部１１１との間をシールする。これにより、嵌合部１１１内への水の浸入を阻止できる。
【特許文献１】特開２００３−７７５７８号公報
【発明の開示】
【発明が解決しようとする課題】
【０００５】
しかしながら、この従来の防水型コネクタ１０１にあっては、以下の問題点があった。
即ち、シール部材１１４を保護するフード部１１５が、相手コネクタの嵌合部が進入する空間１１６を形成するように嵌合部１１１に対して外側に突出しているため、ハウジング１１０の外形サイズが大きいものとなっていた。
また、相手コネクタが防水型コネクタ１０１に嵌合するときに、相手コネクタの嵌合部の壁部分がシール部材１１４の外周を内側に圧縮するので、その圧縮に要する力分だけ抵抗が大きく、コネクタの嵌合時に要する力が過大となり、作業性が悪かった。
【０００６】
従って、本発明は上述の問題点に鑑みてなされたものであり、その目的は、ハウジングの外形サイズを小型にしつつシール部材を適切に保護できる防水型コネクタ組立体、防水型コネクタ、及び防水型コネクタハウジングを提供することにある。
また、本発明の他の目的は、コネクタ嵌合時に要する力を低減可能とした防水型コネクタ組立体、防水型コネクタ、及び防水型コネクタハウジングを提供することにある。
【課題を解決するための手段】
【０００７】
上記問題を解決するため、本発明のうち請求項１に係る防水型コネクタ組立体は、防水型コネクタと、該防水型コネクタと嵌合する相手コネクタとからなり、前記防水型コネクタが、防水型コネクタハウジングと、該防水型コネクタハウジングに収容されるコンタクトとを備え、前記防水型コネクタハウジングが、ハウジング本体及び該ハウジング本体から延びる前記相手コネクタとの嵌合部を有する絶縁性のハウジングと、前記ハウジングの前記嵌合部の外周に装着された環状のシール部材と、該シール部材の外側に対応する初期位置と前記ハウジング本体の外側に位置する最終位置との間を移動可能に前記ハウジング本体に支持された環状のシール部材用カバーと、前記ハウジング本体に設けられ、前記相手コネクタの嵌合前に前記初期位置に位置する前記シール部材用カバーをロックするとともに、前記相手コネクタの嵌合終了時に前記相手コネクタに設けられたロック突起をロックするロックアームとを備え、前記相手コネクタが前記防水型コネクタに嵌合するときに、前記相手コネクタが前記ロックアームを持ち上げて前記シール部材用カバーのロック状態を解除するとともに前記シール部材用カバーを前記初期位置から前記最終位置に向けて押圧することを特徴としている。
【０００８】
また、本発明のうち請求項２に係る防水型コネクタ組立体は、請求項１記載の発明において、前記シール部材用カバーは、前記初期位置に位置するときに前記シール部材を圧縮することを特徴としている。
また、本発明のうち請求項３に係る防水型コネクタ組立体は、請求項１又は２記載の発明において、前記シール部材用カバーに、前記シール部材用カバーを前記最終位置から前記初期位置の方向に向けて移動させたときに前記ロックアームを持ち上げる係合部を設けたことを特徴としている。
【０００９】
本発明のうち請求項４に係る防水型コネクタは、防水型コネクタハウジングと、該防水型コネクタハウジングに収容されるコンタクトとを備え、前記防水型コネクタハウジングが、ハウジング本体及び該ハウジング本体から延びる相手コネクタとの嵌合部を有する絶縁性のハウジングと、前記ハウジングの前記嵌合部の外周に装着された環状のシール部材と、該シール部材の外側に対応する初期位置と前記ハウジング本体の外側に位置する最終位置との間を移動可能に前記ハウジング本体に支持された環状のシール部材用カバーと、前記ハウジング本体に設けられ、前記相手コネクタの嵌合前に前記初期位置に位置する前記シール部材用カバーをロックするとともに、前記相手コネクタの嵌合終了時に前記相手コネクタに設けられたロック突起をロックするロックアームとを備えことを特徴としている。
【００１０】
また、本発明のうち請求項５に係る防水型コネクタは、請求項４記載の発明において、前記シール部材用カバーは、前記初期位置に位置するときに前記シール部材を圧縮することを特徴としている。
本発明のうち請求項６に係る防水型コネクタは、請求項４又は５記載の発明において、前記シール部材用カバーに、前記シール部材用カバーを前記最終位置から前記初期位置の方向に向けて移動させたときに前記ロックアームを持ち上げる係合部を設けたことを特徴としている。
【００１１】
また、本発明のうち請求項７に係る防水型コネクタハウジングは、ハウジング本体及び該ハウジング本体から延びる相手コネクタとの嵌合部を有する絶縁性のハウジングと、該ハウジングの前記嵌合部の外周に装着された環状のシール部材と、該シール部材の外側に対応する初期位置と前記ハウジング本体の外側に位置する最終位置との間を移動可能に前記ハウジング本体に支持された環状のシール部材用カバーと、前記ハウジング本体に設けられ、前記相手コネクタの嵌合前に前記初期位置に位置する前記シール部材用カバーをロックするとともに、前記相手コネクタの嵌合終了時に前記相手コネクタに設けられたロック突起をロックするロックアームとを備えことを特徴としている。
【００１２】
また、本発明のうち請求項８に係る防水型コネクタハウジングは、請求項７記載の発明において、前記シール部材用カバーは、前記初期位置に位置するときに前記シール部材を圧縮することを特徴としている。
更に、本発明のうち請求項９に係る防水型コネクタハウジングは、請求項７又は８記載の発明において、前記シール部材用カバーに、前記シール部材用カバーを前記最終位置から前記初期位置の方向に向けて移動させたときに前記ロックアームを持ち上げる係合部を設けたことを特徴としている。
【発明の効果】
【００１３】
本発明のうち請求項１に係る防水型コネクタ組立体、請求項４に係る防水型コネクタ及び請求項７に係る防水型コネクタハウジングによれば、シール部材の外側に対応する初期位置とハウジング本体の外側に位置する最終位置との間を移動可能にハウジング本体に支持された環状のシール部材用カバー備えるので、このシール部材用カバーが相手コネクタの嵌合前に初期位置に位置するときにシール部材の外側に位置してこのシール部材を保護し（このとき、シール部材は外部に露出しない）、シール部材用カバーが相手コネクタの嵌合終了時に最終位置に位置するときハウジング本体の外側に位置する。シール部材用カバーが移動するため、シール部材用カバーの移動位置を見て相手コネクタの嵌合を確認できる。そして、シール部材用カバーは可動であるため、ハウジングの外形サイズを小型にしつつシール部材を適切に保護できる防水型コネクタ組立体、防水型コネクタ、及び防水型コネクタハウジングを提供できる。
【００１４】
また、ハウジング本体には、相手コネクタの嵌合前に初期位置に位置するシール部材用カバーをロックするとともに、相手コネクタの嵌合終了時に相手コネクタに設けられたロック突起をロックするロックアームを備えているので、シール部材用カバーが相手コネクタの嵌合前に初期位置に位置するときにシール部材の外側に位置した状態が維持され、シール部材の保護を確実に行うことができる。
【００１５】
また、本発明のうち請求項２に係る防水型コネクタ組立体、請求項５に係る防水型コネクタ及び請求項８に係る防水型コネクタハウジングによれば、シール部材用カバーは、初期位置に位置するときにシール部材を圧縮するので、相手コネクタが嵌合するときに相手コネクタがシール部材をさらに圧縮する必要はなく、コネクタの嵌合時に要する力を低減することができる。そして、シール部材用カバーによりシール部材をハウジングの嵌合部外周に対して圧縮するので、シール部材の位置ずれを防止できると共に、シール部材と嵌合部との間からのゴミ等の侵入を防止することができる。シール部材は、ハウジングと一体成形（いわゆる２色成形）しても、ハウジングと別体で構成して嵌合部に嵌め込んでもよい。
【００１６】
更に、本発明のうち請求項３に係る防水型コネクタ組立体、請求項６に係る防水型コネクタ及び請求項９に係る防水型コネクタハウジングによれば、シール部材用カバーに、シール部材用カバーを最終位置から初期位置の方向に向けて移動させたときにロックアームを持ち上げる係合部を設けたので、相手コネクタとの嵌合解除のときに、シール部材用カバーを最終位置から初期位置の方向に向けて移動させてロックアームを持ち上げ、相手コネクタのロック突起に対するロック状態を解除することができる。このため、ロック突起のロック状態を解除するために治具を用いたり、あるいは作業者が指を使用してロックアームを持ち上げることが不要となる。
【発明を実施するための最良の形態】
【００１７】
次に本発明の実施形態を図面を参照して説明する。図１は本発明に係る防水型コネクタ組立体の実施形態を示し、（Ａ）は防水型コネクタと相手コネクタとの嵌合初期状態の斜視図、（Ｂ）は防水型コネクタと相手コネクタとの嵌合途中の状態の斜視図、（Ｃ）は防水型コネクタと相手コネクタとの嵌合最終状態手前の斜視図、（Ｄ）は防水型コネクタと相手コネクタとの嵌合最終状態の斜視図である。図２は図１（Ａ）の防水型コネクタと相手コネクタとの嵌合初期状態を示し、（Ａ）は平面図、（Ｂ）は側面図、（Ｃ）は（Ａ）の２Ｃ−２Ｃ線に沿う断面図である。図３は図１（Ｂ）の防水型コネクタと相手コネクタとの嵌合途中の状態を示し、（Ａ）は平面図、（Ｂ）は側面図、（Ｃ）は（Ａ）の３Ｃ−３Ｃ線に沿う断面図である。図４は図１（Ｃ）の防水型コネクタと相手コネクタとの嵌合最終状態手前を示し、（Ａ）は平面図、（Ｂ）は側面図、（Ｃ）は（Ａ）の４Ｃ−４Ｃ線に沿う断面図である。図５は図１（Ｄ）の防水型コネクタと相手コネクタとの嵌合最終状態を示し、（Ａ）は平面図、（Ｂ）は側面図、（Ｃ）は（Ａ）の５Ｃ−５Ｃ線に沿う断面図である。
【００１８】
図１において、防水型コネクタ組立体１は、防水型コネクタ１０と、この防水型コネクタ１０と嵌合する相手コネクタ５０とからなっている。
ここで、防水型コネクタ１０を図７及び図８を参照して説明する。図７はシール部材用カバーが初期位置に位置する防水型コネクタを示し、（Ａ）は前方斜め上方から見た斜視図、（Ｂ）は正面図、（Ｃ）は後方斜め上方から見た斜視図、（Ｄ）は平面図、（Ｅ）は側面図、（Ｆ）は底面図である。図８はシール部材用カバーが最終位置に位置する防水型コネクタを示し、（Ａ）は前方斜め上方から見た斜視図、（Ｂ）は正面図、（Ｃ）は後方斜め上方から見た斜視図、（Ｄ）は平面図、（Ｅ）は側面図、（Ｆ）は底面図である。
【００１９】
防水型コネクタ１０は、防水型コネクタハウジング１０Ａと、この防水型コネクタハウジング１０Ａに収容される複数のコンタクト（図示せず）とを具備している。各コンタクトは、金属板を打抜き及び曲げ加工することによって形成され、相手コネクタ５０に設けられたコンタクト（図示せず）に接触する接触部と、電線（図示せず）を接続する電線接続部とを備えている。電線を接続したコンタクトは、後述するハウジング１１のコンタクト収容キャビティ１３ａに、電線がハウジング１１に対して後方（図７（Ｄ）における左方）に延びるように収容される。
そして、防水型コネクタハウジング１０Ａは、コンタクトを収容する絶縁性のハウジング１１と、シール部材１４と、シール部材用カバー１５と、ロック部材１６と、電線シール部材１８と、電線シール部材用カバー１７とを具備している。
【００２０】
ハウジング１１は、略矩形形状のハウジング本体１２とこのハウジング本体１２から前方（図７（Ｄ）における右方）に延びる相手コネクタ５０との嵌合部１３とを有し、絶縁性の樹脂を成形することによって形成されている。ハウジング本体１２及び嵌合部１３内には、コンタクトを収容する複数（本実施形態にあっては上下２列の８個）のコンタクト収容キャビティ１３ａが設けられている。各コンタクト収容キャビティ１３ａはハウジング１１において前後方向に貫通し、内部にコンタクトを係止するためのハウジングランス（図示せず）を備えている。ハウジング本体１２の両側壁には、前後方向に延びる案内溝１２ａが形成されている。嵌合部１３は、ハウジング本体１２よりも縦横の径を縮径した略矩形形状を有し、ハウジング本体１２から縮径傾斜部を介して前方に延びている。
【００２１】
シール部材１４は、ゴム製の環状部材で構成され、ハウジング１１の嵌合部１３の外周であってハウジング本体１２寄りに装着されている。シール部材１４は、ハウジング１１と一体成形（いわゆる２色成形）しても、ハウジング１１と別体で構成して嵌合部１３に嵌め込んでもよい。シール部材１４は、図５（Ｃ）に示すように、相手コネクタ５０の嵌合凹部５３周囲の外壁部分と嵌合部１３との間をシールし、外部からの水の浸入を阻止する機能を有する。
【００２２】
シール部材用カバー１５は、樹脂製の環状部材で、シール部材１４の外側に対応する初期位置（図７、図２参照）とハウジング本体１２の外側に位置する最終位置（図８、図５参照）との間を移動可能にハウジング本体１２に支持されている。即ち、シール部材用カバー１５は、相手コネクタ５０と防水型コネクタ１０との嵌合方向にスライドするようになっている。シール部材用カバー１５は、初期位置に位置するときにシール部材１４を外側から圧縮する。シール部材用カバー１５の上側部分（ハウジング本体１２に対して上側部分）には、図２及び図７に示す初期位置に位置するときにロックアーム１６に形成された係合孔１６ａに入り込むロック突起１５ａが突出形成されている。また、シール部材用カバー１５の上側部分前端には、シール部材用カバー１５を最終位置から初期位置の方向に向けて移動させたときにロックアーム１６を持ち上げる係合部１５ｂが設けられている。更に、シール部材用カバー１５の両側部分には、後方に突出する突出部１５ｃが形成され、突出部１５ｃの内側には、ハウジング本体１２に形成された案内溝１２ａに沿ってシール部材用カバー１５の移動を案内する案内部１５ｄが形成されている。
【００２３】
ロックアーム１６は、ハウジング本体１２の上面後端部から前方にハウジング本体１２の上面に対して略平行に延びるように形成されて、ハウジング１１と一体的に形成されている。ロックアーム１６には、相手コネクタ５０の嵌合前に初期位置に位置するシール部材用カバー１５のロック突起１５ａが入り込むとともに、相手コネクタ５０の嵌合終了時（図５参照）に相手コネクタ５０に設けられたロック突起５２が入り込む係合孔１６ａが設けられている。これにより、ロックアーム１６は、相手コネクタ５０の嵌合前に初期位置に位置するシール部材用カバー１５をロックするとともに、相手コネクタ５０の嵌合終了時に相手コネクタ５０に設けられたロック突起５２をロックする。
【００２４】
また、電線シール部材１８は、ハウジング１１に収容されたコンタクトに接続された電線の周囲に配置され、ハウジング本体１２と電線との間をシールし、外部からの水の浸入を防止している。そして、電線シールカバー部材１７はハウジング本体１２の後方からハウジング本体１２に取り付けられて電線シール部材１８をカバーするようになっている。電線シールカバー部材１７には、電線が導出される複数の電線導出孔１７ａが形成されている。
【００２５】
一方、相手コネクタ５０は、図１乃至図５に示すように、絶縁性のハウジング５１と、ハウジング５１に収容された複数のコンタクト（図示せず）とを備えている。ハウジング５１には、防水型コネクタ１０の嵌合部１３を受容する嵌合凹部５３が形成され、この嵌合凹部５３を画定する外壁のうちの上壁の先端には、ロック突起５２が上方に向けて突出形成されている。このロック突起５２は、防水型コネクタ１０への嵌合終了時（図５参照）に防水型コネクタ１０のロックアーム１６に形成された係合孔１６ａに入り込むようになっている。
【００２６】
次に、防水型コネクタ１０と相手コネクタ５０との嵌合方法について図１乃至図５を参照して説明する。
先ず、相手コネクタ５９０が防水型コネクタ１０に対して嵌合する前においては、シール部材用カバー１５は、シール部材１４の外側に対応する初期位置に位置する（図１（Ａ）及び図２参照）。このとき、シール部材１４は外部に露出しない。このため、シール部材用カバー１５によりシール部材１４を外部から保護することができる。そして、シール部材用カバー１５が初期位置に位置するときには、シール部材用カバー１５のロック突起１５ａがロックアーム１６の係合孔１６ａ内に入り込み、シール部材用カバー１５はロックアーム１６によりロックされている。このため、シール部材用カバー１５がシール部材１４の外側に位置した状態が維持され、シール部材１４の保護を確実に行うことができる。また、シール部材用カバー１５が初期位置に位置するときには、シール部材用カバー１５はシール部材１４を外側から圧縮する。このため、相手コネクタ５０が嵌合するときに相手コネクタ５０がシール部材１４をさらに圧縮する必要はなく、コネクタの嵌合時に要する力を低減することができる。そして、シール部材用カバー１５によりシール部材１４をハウジング１１の嵌合部１３外周に対して圧縮するので、シール部材１４の位置ずれを防止できると共に、シール部材１４と嵌合部１３との間からのゴミ等の侵入を防止することができる。
【００２７】
次いで、図１（Ａ）及び図２に示すように、相手コネクタ５０を防水型コネクタ１０に対して図１（Ａ）及び図２（Ｄ）における矢印方向に嵌合する。すると、相手コネクタ５０の嵌合凹部５３内に防水型コネクタ５０の嵌合部１３が入り込み、嵌合凹部５３を画定する外壁に設けられたロック突起５２がロックアーム１６の前端に当接する。
そして、図１（Ｂ）及び図３に示すように、相手コネクタ５０を防水型コネクタ１０に対して更に押し込むと、ロック突起５２がロックアーム１６の前端を持ち上げつつ嵌合凹部５３を画定する外壁がシール部材用カバー１５の前端に当接する。
【００２８】
そして、図１（Ｃ）及び図４に示すように、相手コネクタ５０を防水型コネクタ１０に対して更に押し込むと、ロック突起５２がロックアーム１６を更に持ち上げてロックアーム１６の係合孔１６ａの真下に位置するとともに、嵌合凹部５３を画定する外壁がシール部材用カバー１５を押圧してシール部材用カバー１５のロック状態を解除し、シール部材用カバー１５が初期位置から最終位置に向けて移動する。
【００２９】
そして、図１（Ｄ）及び図５に示すように、ロックアーム１６が下方に変位してロック突起５２が係合孔１６ａに入り込み、ロックアーム１６がロック突起５２をロックし、嵌合が完了する。シール部材用カバー１５は、相手コネクタ５０の嵌合凹部５３を画定する外壁がシール部材用カバー１５を押圧する勢いで、ハウジング本体１２上をスライドし、最終位置に位置する。この最終位置では、シール部材用カバー１５は相手コネクタ５０の嵌合凹部５３を画定する外壁先端から離れた後方に位置する。シール部材用カバー１５が移動するため、シール部材用カバー１５の移動位置を見て相手コネクタ５０の嵌合を確認できる。また、相手コネクタ５０の嵌合凹部５３を画定する外壁は、シール部材１４の外周を押圧する。これにより、相手コネクタ５０の嵌合凹部５３を画定する外壁部分と嵌合部１３との間をシールし、外部からの水の浸入を防止する。
このように、シール部材用カバー１５は可動であるため、従来のようにシール部材１４を保護するフード部を予めハウジングに固定形成しておく必要はなく、防水型コネクタハウジング１０Ａの外形サイズを小型にしつつシール部材１４を適切に保護できる。
【００３０】
次に、防水型コネクタ１０と相手コネクタ５０との嵌合解除方法について図６を参照して説明する。図６は防水型コネクタと相手コネクタとの嵌合解除方法を説明するもので、（Ａ）は防水型コネクタと相手コネクタとの嵌合解除初期状態（嵌合最終状態）の断面図、（Ｂ）は防水型コネクタと相手コネクタとの嵌合解除途中の状態（嵌合最終状態手前）の断面図、（Ｃ）は防水型コネクタと相手コネクタとの嵌合解除途中の状態（嵌合途中の状態）の断面図、（Ｄ）は防水型コネクタと相手コネクタとの嵌合解除終了状態（嵌合初期状態）の断面図である。
【００３１】
両コネクタの嵌合解除に際しては、先ず、シール部材用カバー１５を最終位置から初期位置の方向（図６（Ａ）における矢印方向、前方向）に向けて移動させる。
これにより、図６（Ｂ）に示すように、シール部材用カバー１５の係合部１５ｂがロックアーム１６の下面に接触してこのロックアーム１６を持ち上げ、ロック突起５２を係合孔１６ａから外れさせて、ロックアーム１６によるロック突起５２に対するロック状態を解除する。このため、ロック突起５２のロック状態を解除するために治具を用いたり、あるいは作業者が指を使用してロックアーム１６を持ち上げることが不要となる。シール部材用カバー１５の前端は相手コネクタ５０の嵌合凹部５３を画定する外壁先端に当接する。
【００３２】
次いで、防水型コネクタ１０のハウジング１１を後方向（図６（Ｃ）における矢印方向）に向けて引っ張る。すると、シール部材用カバー１５の前端が相手コネクタ５０の嵌合凹部５３を画定する外壁先端に当接した状態を維持して、シール部材用カバー１５が初期位置に位置する。
そして、防水型コネクタ１０のハウジング１１を更に後方向に向けて引っ張ると、図６（Ｄ）に示すように、シール部材用カバー１５が初期位置を維持し、ロックアーム１６が下方に変位して、シール部材用カバー１５のロック突起１５ａがロックアーム１６の係合孔１６ａ内に入り込む。これにより、防水型コネクタ１０と相手コネクタ５０との嵌合解除が完了する。嵌合を解除した後であっても、シール部材用カバー１５が初期位置を維持するので、シール部材１４は外部に露出せず、シール部材用カバー１５によりシール部材１４を外部から保護することができる。
【００３３】
以上、本発明の実施形態について説明してきたが、本発明はこれに限定されずに種々の変更、改良を行うことができる。
例えば、シール部材用カバー１５は、初期位置においてシール部材１４を圧縮しなくてもよい。
また、シール部材用カバー１５に、シール部材用カバー１５を最終位置から初期位置の方向に向けて移動させたときにロックアーム１６を持ち上げる係合部１５ｂを必ずしも設ける必要はない。
【図面の簡単な説明】
【００３４】
【図１】本発明に係る防水型コネクタ組立体の実施形態を示し、（Ａ）は防水型コネクタと相手コネクタとの嵌合初期状態の斜視図、（Ｂ）は防水型コネクタと相手コネクタとの嵌合途中の状態の斜視図、（Ｃ）は防水型コネクタと相手コネクタとの嵌合最終状態手前の斜視図、（Ｄ）は防水型コネクタと相手コネクタとの嵌合最終状態の斜視図である。
【図２】図１（Ａ）の防水型コネクタと相手コネクタとの嵌合初期状態を示し、（Ａ）は平面図、（Ｂ）は側面図、（Ｃ）は（Ａ）の２Ｃ−２Ｃ線に沿う断面図である。
【図３】図１（Ｂ）の防水型コネクタと相手コネクタとの嵌合途中の状態を示し、（Ａ）は平面図、（Ｂ）は側面図、（Ｃ）は（Ａ）の３Ｃ−３Ｃ線に沿う断面図である。
【図４】図１（Ｃ）の防水型コネクタと相手コネクタとの嵌合最終状態手前を示し、（Ａ）は平面図、（Ｂ）は側面図、（Ｃ）は（Ａ）の４Ｃ−４Ｃ線に沿う断面図である。
【図５】図１（Ｄ）の防水型コネクタと相手コネクタとの嵌合最終状態を示し、（Ａ）は平面図、（Ｂ）は側面図、（Ｃ）は（Ａ）の５Ｃ−５Ｃ線に沿う断面図である。
【図６】防水型コネクタと相手コネクタとの嵌合解除方法を説明するもので、（Ａ）は防水型コネクタと相手コネクタとの嵌合解除初期状態（嵌合最終状態）の断面図、（Ｂ）は防水型コネクタと相手コネクタとの嵌合解除途中の状態（嵌合最終状態手前）の断面図、（Ｃ）は防水型コネクタと相手コネクタとの嵌合解除途中の状態（嵌合途中の状態）の断面図、（Ｄ）は防水型コネクタと相手コネクタとの嵌合解除終了状態（嵌合初期状態）の断面図である。
【図７】シール部材用カバーが初期位置に位置する防水型コネクタを示し、（Ａ）は前方斜め上方から見た斜視図、（Ｂ）は正面図、（Ｃ）は後方斜め上方から見た斜視図、（Ｄ）は平面図、（Ｅ）は側面図、（Ｆ）は底面図である。
【図８】シール部材用カバーが最終位置に位置する防水型コネクタを示し、（Ａ）は前方斜め上方から見た斜視図、（Ｂ）は正面図、（Ｃ）は後方斜め上方から見た斜視図、（Ｄ）は平面図、（Ｅ）は側面図、（Ｆ）は底面図である。
【図９】従来例の防水型コネクタの断面図である。
【符号の説明】
【００３５】
１  防水型コネクタ組立体
１０  防水型コネクタ
１０Ａ  防水型コネクタハウジング
１１  ハウジング
１２  ハウジング本体
１３  嵌合部
１４  シール部材
１５  シール部材用カバー
１５ｂ  係合部
１６  ロックアーム
５０  相手コネクタ
５２  ロック突起
【図１】
2006140117.tif 000003
【図２】
2006140117.tif 000004
【図３】
2006140117.tif 000005
【図４】
2006140117.tif 000006
【図５】
2006140117.tif 000007
【図６】
2006140117.tif 000008
【図７】
2006140117.tif 000009
【図８】
2006140117.tif 000010
【図９】
2006140117.tif 000011